(57)【要約】【課題】利便性良好に適正なタイミングで電源を遮断する。【解決手段】デジタル放送受信機のＲＡＭ１２は、予め設定された対象時間帯において、電源が遮断された時刻の内、最も遅い時刻である最終電源遮断時刻情報を格納する電源遮断時刻記憶部１２１を備え、ＭＰＵ１１は、予め設定された対象時間帯において、最終電源遮断時刻を取得し、取得された最終電源遮断時刻情報を電源遮断時刻記憶部１２１に格納する電源遮断時刻取得部１１２と、電源遮断時刻記憶部１２１に格納された最終電源遮断時刻情報に基づいて、電源を遮断する時刻である第１遮断予定時刻を設定する第１時刻設定部１１３と、設定された第１遮断予定時刻に基づいて、該デジタル放送受信機の電源を遮断する電源遮断部１１６と、を備えている。【選択図】図２
2008277943.tif 000002
【特許請求の範囲】
【請求項１】
テレビジョン放送を受信し、外部から視認可能にモニタに出力可能に構成された放送受信装置であって、
予め設定された対象時間帯において、電源が遮断された時刻の内、最も遅い時刻である最終電源遮断時刻情報を格納する電源遮断時刻記憶手段と、
予め設定された対象時間帯において、電源が遮断された時刻を取得すると共に、取得された時刻が前記最終電源遮断時刻であるか否かを判定し、前記最終電源遮断時刻であると判定された場合に、取得された時刻情報を前記最終電源遮断時刻情報として前記電源遮断時刻記憶手段に格納する電源遮断時刻取得手段と、
前記電源遮断時刻記憶手段に格納された最終電源遮断時刻情報に基づいて、電源を遮断する時刻である第１遮断予定時刻を設定する第１時刻設定手段と、
前記第１時刻設定手段によって設定された第１遮断予定時刻に基づいて、該放送受信装置の電源を遮断する電源遮断手段と、
を備えることを特徴とする放送受信装置。
【請求項２】
前記電源遮断手段は、前記第１時刻設定手段によって設定された第１遮断予定時刻に到達したか否かを判定し、前記第１遮断予定時刻に到達したと判定された場合に、該放送受信装置の電源を遮断することを特徴とする請求項１に記載の放送受信装置。
【請求項３】
前記第１時刻設定手段によって設定された第１遮断予定時刻に到達したか否かを判定し、前記第１遮断予定時刻に到達したと判定された場合に、選択されているチャンネルを判定するチャンネル判定手段と、
テレビジョン放送を介して、前記チャンネル判定手段によって選択されていると判定されたチャンネルにおいて受信されている番組の終了時刻である番組終了時刻情報を取得する番組終了時刻取得手段と、
を備え、
前記電源遮断手段は、前記番組終了時刻取得手段によって取得された番組終了時刻に到達したか否かを判定し、前記番組終了時刻に到達したと判定された場合に、該放送受信装置の電源を遮断することを特徴とする請求項１に記載の放送受信装置。
【請求項４】
外部からの操作入力を受け付けて、受け付けられた操作入力に基づいて前記対象時間帯を設定する時間帯設定手段を備えることを特徴とする請求項１〜請求項３のいずれかに記載の放送受信装置。
【請求項５】
前記電源遮断手段は、予め設定された対象期間内の最終電源遮断時刻情報に基づいて、前記遮断予定時刻を設定することを特徴とする請求項１〜請求項４のいずれかに記載の放送受信装置。
【請求項６】
前記第１時刻設定手段は、予め設定された対象期間内の最終電源遮断時刻の平均時刻を求め、求められた平均時刻を前記第１遮断予定時刻として設定することを特徴とする請求項５に記載の放送受信装置。
【請求項７】
外部からの操作入力を受け付けて、受け付けられた操作入力に基づいて前記対象期間を設定する対象期間設定手段を備えることを特徴とする請求項５又は請求項６に記載の放送受信装置。
【請求項８】
テレビジョン放送を介して、受信可能なチャンネル毎に前記対象時間帯において放送が終了する時刻である放送終了時刻情報を取得する放送終了時刻取得手段と、
前記放送終了時刻取得手段によって取得された放送終了時刻に基づいて、電源を遮断する時刻である第２遮断予定時刻を設定する第２時刻設定手段と、
外部からの操作入力を受け付けて、受け付けられた操作入力に基づいて、前記第１時刻設定手段によって設定された第１遮断予定時刻に基づいて電源を遮断するか、又は、前記第２時刻設定手段によって設定された第２遮断予定時刻に基づいて電源を遮断するか、を選択する時刻選択手段と、を備え、
前記電源遮断手段は、前記時刻選択手段によって選択された遮断予定時刻に基づいて電源を遮断することを特徴とする請求項１に記載の放送受信装置。
【発明の詳細な説明】
【技術分野】
【０００１】
本発明は、テレビジョン放送を受信し、外部から視認可能にモニタに出力可能に構成された放送受信装置に関する。
【背景技術】
【０００２】
従来、テレビジョン放送を受信し、外部から視認可能にモニタに出力可能に構成された放送受信装置では、ユーザが、電源遮断操作をすることによって電源を遮断していた。しかしながら、テレビジョン放送を視聴中にユーザが眠ってしまう場合、又は、急用等が発生して、放送受信装置をＯＮ状態としたまま外出してしまう場合等があり、電力が浪費されることがあった。
【０００３】
この課題を解消するために、種々の装置が提案されている。例えば、予め設定された所定時刻（例えば、午後１１時）から計時を開始し、リモートコントローラ等を介して操作信号が所定期間（例えば、３０分間）以上継続して受け付けられない場合に、電源を遮断するテレビジョン受像機が開示されている（特許文献１参照）。
【特許文献１】特開平４−３５４２０９号公報
【発明の開示】
【発明が解決しようとする課題】
【０００４】
しかしながら、上記テレビジョン受像機等の従来の放送受信装置では、ユーザが電源を遮断する時刻を設定する必要が有り、利便性が充分ではない場合があった。
【０００５】
本発明は、上記課題に鑑みてなされたものであって、利便性良好に適正なタイミングで電源を遮断することの可能な放送受信装置を提供することを目的としている。
【課題を解決するための手段】
【０００６】
上記目的を達成するために請求項１に記載の放送受信装置は、テレビジョン放送を受信し、外部から視認可能にモニタに出力可能に構成された放送受信装置であって、予め設定された対象時間帯において、電源が遮断された時刻の内、最も遅い時刻である最終電源遮断時刻情報を格納する電源遮断時刻記憶手段と、予め設定された対象時間帯において、電源が遮断された時刻を取得すると共に、取得された時刻が前記最終電源遮断時刻であるか否かを判定し、前記最終電源遮断時刻であると判定された場合に、取得された時刻情報を前記最終電源遮断時刻情報として前記電源遮断時刻記憶手段に格納する電源遮断時刻取得手段と、前記電源遮断時刻記憶手段に格納された最終電源遮断時刻情報に基づいて、電源を遮断する時刻である第１遮断予定時刻を設定する第１時刻設定手段と、前記第１時刻設定手段によって設定された第１遮断予定時刻に基づいて、該放送受信装置の電源を遮断する電源遮断手段と、を備えることを特徴としている。
【０００７】
請求項２に記載の放送受信装置は、請求項１に記載の放送受信装置であって、前記電源遮断手段が、前記第１時刻設定手段によって設定された第１遮断予定時刻に到達したか否かを判定し、前記第１遮断予定時刻に到達したと判定された場合に、該放送受信装置の電源を遮断することを特徴としている。
【０００８】
請求項３に記載の放送受信装置は、請求項１に記載の放送受信装置であって、前記第１時刻設定手段によって設定された第１遮断予定時刻に到達したか否かを判定し、前記第１遮断予定時刻に到達したと判定された場合に、選択されているチャンネルを判定するチャンネル判定手段と、テレビジョン放送を介して、前記チャンネル判定手段によって選択されていると判定されたチャンネルにおいて受信されている番組の終了時刻である番組終了時刻情報を取得する番組終了時刻取得手段と、を備え、前記電源遮断手段が、前記番組終了時刻取得手段によって取得された番組終了時刻に到達したか否かを判定し、前記番組終了時刻に到達したと判定された場合に、該放送受信装置の電源を遮断することを特徴としている。
【０００９】
請求項４に記載の放送受信装置は、請求項１〜請求項３のいずれかに記載の放送受信装置であって、外部からの操作入力を受け付けて、受け付けられた操作入力に基づいて前記対象時間帯を設定する時間帯設定手段を備えることを特徴としている。
【００１０】
請求項５に記載の放送受信装置は、請求項１〜請求項４のいずれかに記載の放送受信装置であって、前記電源遮断手段が、予め設定された対象期間内の最終電源遮断時刻情報に基づいて、前記遮断予定時刻を設定することを特徴としている。
【００１１】
請求項６に記載の放送受信装置は、請求項５に記載の放送受信装置であって、前記第１時刻設定手段が、予め設定された対象期間内の最終電源遮断時刻の平均時刻を求め、求められた平均時刻を前記第１遮断予定時刻として設定することを特徴としている。
【００１２】
請求項７に記載の放送受信装置は、請求項５又は請求項６に記載の放送受信装置であって、外部からの操作入力を受け付けて、受け付けられた操作入力に基づいて前記対象期間を設定する対象期間設定手段を備えることを特徴としている。
【００１３】
請求項８に記載の放送受信装置は、請求項１に記載の放送受信装置であって、テレビジョン放送を介して、受信可能なチャンネル毎に前記対象時間帯において放送が終了する時刻である放送終了時刻情報を取得する放送終了時刻取得手段と、前記放送終了時刻取得手段によって取得された放送終了時刻に基づいて、電源を遮断する時刻である第２遮断予定時刻を設定する第２時刻設定手段と、外部からの操作入力を受け付けて、受け付けられた操作入力に基づいて、前記第１時刻設定手段によって設定された第１遮断予定時刻に基づいて電源を遮断するか、又は、前記第２時刻設定手段によって設定された第２遮断予定時刻に基づいて電源を遮断するか、を選択する時刻選択手段と、を備え、前記電源遮断手段が、前記時刻選択手段によって選択された遮断予定時刻に基づいて電源を遮断することを特徴としている。
【発明の効果】
【００１４】
請求項１に記載の放送受信装置によれば、予め設定された対象時間帯において、電源が遮断された時刻が取得されると共に、取得された時刻が、電源が遮断された時刻の内、最も遅い時刻である最終電源遮断時刻情報であるか否かが判定され、最終電源遮断時刻であると判定された場合に、取得された時刻情報が最終電源遮断時刻情報として電源遮断時刻記憶手段に格納される。そして、電源遮断時刻記憶手段に格納された最終電源遮断時刻情報に基づいて、電源を遮断する時刻である第１遮断予定時刻が設定され、設定された第１遮断予定時刻に基づいて、該放送受信装置の電源が遮断されるため、利便性良好に適正なタイミングで電源を遮断することができる。
【００１５】
すなわち、予め設定された対象時間帯において電源が遮断された時刻の内、最も遅い時刻である最終電源遮断時刻に基づいて、電源を遮断する時刻である第１遮断予定時刻が設定され、設定された第１遮断予定時刻に基づいて、該放送受信装置の電源が遮断されるため、ユーザが電源を遮断する時刻を設定する必要がないので、利便性良好に電源を遮断することができるのである。
【００１６】
また、予め設定された対象時間帯（例えば、午前０時〜午前４時）において電源が遮断された時刻の内、最も遅い時刻である最終電源遮断時刻は、過去においてユーザが就寝前に電源を遮断した時刻であると推定されるため、最終電源遮断時刻情報に基づいて電源を遮断する時刻である第１遮断予定時刻が設定されるので、適正なタイミングで電源を遮断することができるのである。
【００１７】
請求項２に記載の放送受信装置によれば、第１遮断予定時刻に到達したか否かが判定され、第１遮断予定時刻に到達したと判定された場合に、該放送受信装置の電源が遮断されるため、簡素な構成で利便性良好に適正なタイミングで電源を遮断することができる。
【００１８】
請求項３に記載の放送受信装置によれば、第１遮断予定時刻に到達したか否かが判定され、第１遮断予定時刻に到達したと判定された場合に、選択されているチャンネルが判定される。そして、テレビジョン放送を介して、選択されていると判定されたチャンネルにおいて受信されている番組の終了時刻である番組終了時刻情報が取得され、取得された番組終了時刻に到達したか否かが判定され、番組終了時刻に到達したと判定された場合に、該放送受信装置の電源が遮断されるため、利便性良好に更に適正なタイミングで電源を遮断することができる。
【００１９】
すなわち、第１遮断予定時刻に到達した時点で選択されているチャンネルにおいて受信されている番組の終了時刻に到達したか否かが判定され、番組終了時刻に到達したと判定された場合に、該放送受信装置の電源が遮断されるため、ユーザが視聴している番組の途中で電源が遮断されることが防止されるので、更に適正なタイミングで電源を遮断することができるのである。
【００２０】
請求項４に記載の放送受信装置によれば、外部からの操作入力が受け付けられて、受け付けられた操作入力に基づいて対象時間帯が設定されるため、ユーザが電源の遮断を所望する時間帯を対象時間帯として設定することができるので、更に適正なタイミングで電源を遮断することができる。
【００２１】
請求項５に記載の放送受信装置によれば、予め設定された対象期間内の最終電源遮断時刻情報に基づいて、遮断予定時刻が設定されるため、対象期間を適正に設定することによって、更に適正なタイミングで電源を遮断することができる。
【００２２】
請求項６に記載の放送受信装置によれば、予め設定された対象期間内の最終電源遮断時刻の平均時刻が求められ、求められた平均時刻が第１遮断予定時刻として設定されるため、更に適正なタイミングで電源を遮断することができる。
【００２３】
請求項７に記載の放送受信装置によれば、外部からの操作入力が受け付けられて、受け付けられた操作入力に基づいて対象期間が設定されるため、ユーザが対象期間を設定することができるので、更に適正なタイミングで電源を遮断することができる。
【００２４】
請求項８に記載の放送受信装置によれば、テレビジョン放送を介して、受信可能なチャンネル毎に対象時間帯において放送が終了する時刻である放送終了時刻情報が取得され、取得された放送終了時刻に基づいて、電源を遮断する時刻である第２遮断予定時刻が設定される。そして、外部からの操作入力が受け付けられて、受け付けられた操作入力に基づいて、第１遮断予定時刻に基づいて電源を遮断するか、又は、第２遮断予定時刻に基づいて電源を遮断するか、が選択され、選択された遮断予定時刻に基づいて電源が遮断されるため、更に利便性良好に、且つ、更に適正なタイミングで電源を遮断することができる。
【００２５】
すなわち、過去においてユーザが就寝前に電源を遮断した時刻であると推定される最終電源遮断時刻に基づいて設定される第１遮断予定時刻と、テレビジョン放送を介して受信可能なチャンネル毎に対象時間帯において放送が終了する時刻である放送終了時刻に基づいて設定される第２遮断予定時刻と、のどちらに基づいて電源を遮断するかを選択することができるため、更に利便性良好に、且つ、更に適正なタイミングで電源を遮断することができるのである。
【発明を実施するための最良の形態】
【００２６】
以下に本発明の実施形態を、図面を参照しながら説明する。図１は、本発明に係るデジタル放送受信機１の構成の一例を示すブロック図である。デジタル放送受信機１（放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００２７】
リモコン２（対象期間設定手段の一部、時間帯設定手段の一部、及び、時刻選択手段の一部に相当する）は、電源キー、テンキー等の複数のキーを備え、キーの押下を介してユーザからの操作入力を受け付けて、操作入力に対応する赤外線信号を生成して、デジタル放送受信機１に対して出力するものである。
【００２８】
デジタル放送受信機１は、リモコン２を介してユーザからの操作入力を受け付けて、テレビジョン放送を受信し、後述するディスプレイ１８３に出力するものであって、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００２９】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報、番組情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００３０】
操作部１４は、電源のＯＮ、遮断操作、選局等の各種操作を受け付けるものである。受信部１５（番組終了時刻取得手段の一部、及び、放送終了時刻取得手段の一部に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００３１】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００３２】
音声出力部１６は、受信部１５によって受信されたテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００３３】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００３４】
画像出力部１８は、ＭＰＥＧ２デコード部１７によって復号化された動画像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００３５】
赤外線通信部１９は、リモコン２からの電源のＯＮ、遮断操作、選局、デジタル放送受信機１の各種設定等の各種操作を受け付けるものである。
【００３６】
次に、デジタル放送受信機１が放送を受信する場合の動作について説明する。まず、送信されてきたデジタル放送波がアンテナ部１５１で受信される。リモコン２（又は操作部１４）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３７】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、番組情報等を含む制御情報からなり、この制御情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００３８】
また、ＲＡＭ１２から読み出された動画像情報がＭＰＥＧ２デコード部１７によって圧縮前の動画像情報に復号化され、ＮＴＳＣエンコード部１８１によってＮＴＳＣ方式のテレビジョン信号に変換されて、映像信号出力部１８２を介してディスプレイ１８３に動画像が表示される。
【００３９】
図２は、本発明に係るデジタル放送受信機１における主要部の機能構成の一例を示す構成図である。デジタル放送受信機１のＭＰＵ１１は、機能的に、対象期間設定部１１０、時間帯設定部１１１、電源遮断時刻取得部１１２、第１時刻設定部１１３、チャンネル判定部１１４、番組終了時刻取得部１１５、電源遮断部１１６、放送終了時刻取得部１１７、第２時刻設定部１１８、及び、時刻選択部１１９を備えている。また、ＲＡＭ１２は、機能的に、電源遮断時刻記憶部１２１を備えている。
【００４０】
ここでは、ＭＰＵ１１が、図１に示すＲＯＭ１３等に予め格納された制御プログラムを読み出して実行することにより、対象期間設定部１１０、時間帯設定部１１１、電源遮断時刻取得部１１２、第１時刻設定部１１３、チャンネル判定部１１４、番組終了時刻取得部１１５、電源遮断部１１６、放送終了時刻取得部１１７、第２時刻設定部１１８、時刻選択部１１９等の機能部として機能すると共に、ＲＡＭ１２を、電源遮断時刻記憶部１２１等の機能部として機能させるものである。
【００４１】
また、図１に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００４２】
電源遮断時刻記憶部１２１（電源遮断時刻記憶手段に相当する）は、時間帯設定部１１１によって設定された対象時間帯において、電源が遮断された時刻の内、最も遅い時刻である最終電源遮断時刻情報を格納するものである。なお、電源遮断時刻記憶部１２１に格納される最終電源遮断時刻情報は、電源遮断時刻取得部１１２によって取得されるものである。
【００４３】
対象期間設定部１１０（対象期間設定手段の一部に相当する）は、リモコン２を介してユーザからの操作入力を受け付けて、受け付けられた操作入力に基づいて、第１時刻設定部１１３によって、電源を遮断する時刻である第１遮断予定時刻を設定するために用いられる対象期間を設定するものである。
【００４４】
時間帯設定部１１１（時間帯設定設定手段の一部に相当する）は、リモコン２を介してユーザからの操作入力を受け付けて、受け付けられた操作入力に基づいて、電源遮断時刻取得部１１２によって電源が遮断された時刻を取得するために用いられる対象時間帯を設定するものである。
【００４５】
電源遮断時刻取得部１１２（電源遮断時刻取得手段に相当する）は、時間帯設定部１１１によって設定された対象時間帯において、電源が遮断された時刻を取得すると共に、取得された時刻が最終電源遮断時刻であるか否かを判定し、最終電源遮断時刻であると判定された場合に、取得された時刻情報を最終電源遮断時刻として電源遮断時刻記憶部１２１に格納するものである。
【００４６】
具体的には、電源遮断時刻取得部１１２は、例えば、リモコン２を介してユーザの操作入力が受け付けられて、電源を遮断する旨の操作入力が受け付けられた場合に、計時機能を用いてその時刻（＝電源が遮断された時刻）を取得し、電源が遮断された時刻が時間帯設定部１１１によって設定された対象時間帯において、電源が遮断された時刻の内、最も遅い時刻（＝最終電源遮断時刻）であるか否かを判定し、最も遅い時刻であると判定された場合に、取得された時刻を電源遮断時刻記憶部１２１に格納するものである。
【００４７】
すなわち、電源遮断時刻記憶部１２１に予め最終電源遮断時刻（例えば、午前１時）情報が格納されており、同日の時間帯設定部１１１によって設定された対象時間帯（例えば、午前０時から午前４時）において再度電源が遮断された時刻（例えば、午前２時）が取得された場合には、電源遮断時刻取得部１１２は、前に格納されていた最終電源遮断時刻（ここでは、午前１時）情報を消去して、後で取得された最終電源遮断時刻（ここでは、午前２時）情報を電源遮断時刻記憶部１２１に格納するものである。
【００４８】
第１時刻設定部１１３（第１時刻設定手段に相当する）は、電源遮断時刻記憶部１２１に格納され、対象期間設定部１１０によって設定された対象期間（例えば、過去３０日）内の最終電源遮断時刻情報に基づいて、電源を遮断する時刻である第１遮断予定時刻を設定するものである。
【００４９】
また、第１時刻設定部１１３は、対象期間設定部１１０によって設定された対象期間（例えば、過去３０日）内の最終電源遮断時刻の平均時刻を求め、求められた平均時刻を第１遮断予定時刻として設定するものである。
【００５０】
チャンネル判定部１１４（チャンネル判定手段に相当する）は、第１時刻設定部１１３によって設定された第１遮断予定時刻に到達したか否かを判定し、第１遮断予定時刻に到達したと判定された場合に、選択されているチャンネルを判定するものである。
【００５１】
番組終了時刻取得部１１５（番組終了時刻取得手段の一部に相当する）は、受信部１５を介してＥＰＧ（Ｅｌｅｃｔｒｏｎｉｃ  Ｐｒｏｇｒａｍ  Ｇｕｉｄｅ）を取得し、ＥＰＧを参照して、チャンネル判定部１１４によって選択されていると判定されたチャンネルにおいて受信されている番組の終了時刻である番組終了時刻情報を取得するものである。
【００５２】
電源遮断部１１６（電源遮断手段に相当する）は、時刻選択部１１９によって選択された遮断予定時刻（第１遮断時刻、又は、第２遮断時刻）に基づいて電源を遮断するものである。時刻選択部１１９によって、第１遮断時刻に基づいて電源を遮断すると設定されている場合には、電源遮断部１１６は、番組終了時刻取得部１１５によって取得された番組終了時刻に到達したか否かを判定し、番組終了時刻に到達したと判定された場合に、デジタル放送受信機１の電源を遮断するものである。
【００５３】
時刻選択部１１９によって、第２遮断時刻に基づいて電源を遮断すると設定されている場合には、電源遮断部１１６は、第２遮断時刻に到達したか否かを判定し、第２遮断予定時刻に到達したと判定された場合に、デジタル放送受信機１の電源を遮断するものである。
【００５４】
放送終了時刻取得部１１７（放送終了時刻取得手段の一部に相当する）は、受信部１５を介してＥＰＧを取得し、ＥＰＧを参照して、受信可能なチャンネル毎に、時間帯設定部１１１によって設定された対象時間帯（例えば、午前０時から午前４時）において放送が終了する時刻である放送終了時刻情報を取得するものである。
【００５５】
第２時刻設定部１１８（第２時刻設定手段に相当する）は、放送終了時刻取得部１１７によって取得された放送終了時刻に基づいて、電源を遮断する時刻である第２遮断予定時刻を設定するものである。ここでは、第２時刻設定部１１８は、受信可能なチャンネル毎の放送終了時刻の平均終了時刻を求め、求められた平均終了時刻を第２遮断予定時刻として設定するものである。
【００５６】
時刻選択部１１９（時刻選択手段の一部に相当する）は、リモコン２を介してユーザからの操作入力を受け付けて、受け付けられた操作入力に基づいて、第１時刻設定部１１３によって設定された第１遮断予定時刻に基づいて電源を遮断するか、又は、第２時刻設定部１１８によって設定された第２遮断予定時刻に基づいて電源を遮断するか、を選択するものである。
【００５７】
図３は、デジタル放送受信機１（主にＭＰＵ１１）の電源遮断時刻を格納する動作の一例を示すフローチャートである。なお、以下の処理は、全て、電源遮断時刻取得部１１２によって実行されるものである。また、ここでは、便宜上、時間帯設定部１１１によって予め対象時間帯が設定されている場合について説明する。まず、電源を遮断する旨の入力が受け付けられたか否かの判定が行われる（Ｓ１０１）。電源を遮断する旨の入力が受け付けられていないと判定された場合（Ｓ１０１でＮＯ）には、処理が待機状態とされる。
【００５８】
電源を遮断する旨の入力が受け付けられたと判定された場合（Ｓ１０１でＹＥＳ）には、ステップＳ１０１において電源を遮断する旨の入力が受け付けられた時刻が対象時間帯に含まれるか否かの判定が行われる（Ｓ１０３）。対象時間帯に含まれないと判定された場合（Ｓ１０３でＮＯ）には、処理がステップＳ１０１に戻され、ステップＳ１０１以降の処理が繰り返し実行される。対象時間帯に含まれると判定された場合（Ｓ１０３でＹＥＳ）には、ステップＳ１０１において電源を遮断する旨の入力が受け付けられた時刻情報が取得される（Ｓ１０５）。
【００５９】
次いで、同日の最終電源遮断時刻情報が電源遮断時刻記憶部１２１に格納されているか否かの判定が行われる（Ｓ１０７）。格納されていないと判定された場合（Ｓ１０７でＮＯ）には、処理がステップＳ１１１に進められる。格納されていると判定された場合（Ｓ１０７でＹＥＳ）には、電源遮断時刻記憶部１２１に格納されている最終電源遮断時刻情報が消去される（Ｓ１０９）。ステップＳ１０９の処理が終了した場合、又は、ステップＳ１０７でＮＯの場合には、ステップＳ１０５において取得された時刻情報が電源遮断時刻記憶部１２１に格納される（Ｓ１１１）、処理が終了される。
【００６０】
図４は、デジタル放送受信機１（主にＭＰＵ１１）の電源を遮断する動作の一例を示すフローチャートである。なお、ここでは、便宜上、対象期間設定部１１０によって予め対象期間が設定されており、時間帯設定部１１１によって予め対象時間帯が設定されている場合について説明する。更に、時刻選択部１１９によって予め、第１時刻設定部１１３によって設定された第１遮断予定時刻に基づいて電源を遮断するか、又は、第２時刻設定部１１８によって設定された第２遮断予定時刻に基づいて電源を遮断するか、の選択が行われている場合について説明する。
【００６１】
まず、電源遮断部１１６によって、第１遮断予定時刻に基づいて電源を遮断すると選択されているか否かの判定が行われる（Ｓ２０１）。第１遮断予定時刻に基づいて電源を遮断すると選択されていないと判定された場合（Ｓ２０１でＮＯ）には、処理がステップＳ２１７に進められる。第１遮断予定時刻に基づいて電源を遮断すると選択されていると判定された場合（Ｓ２０１でＮＯ）には、第１時刻設定部１１３によって、対象期間内の最終電源遮断時刻の平均時刻が算出される（Ｓ２０３）。そして、第１時刻設定部１１３によって、ステップＳ２０３において算出された平均時刻が第１遮断予定時刻として設定される（Ｓ２０５）。
【００６２】
次に、チャンネル判定部１１４によって、ステップＳ２０５において設定された第１遮断予定時刻に到達したか否かが判定される（Ｓ２０７）。第１遮断予定時刻に到達していないと判定された場合（Ｓ２０７でＮＯ）には、処理が待機状態とされる。第１遮断予定時刻に到達したと判定された場合（Ｓ２０７でＹＥＳ）には、チャンネル判定部１１４によって、選択されているチャンネルが判定される（Ｓ２０９）。そして、番組終了時刻取得部１１５によって、ステップＳ２０９において選択されていると判定されたチャンネルにおいて受信されている番組の終了時刻である番組終了時刻情報が取得される（Ｓ２１１）。次いで、電源遮断部１１６によって、ステップＳ２１１で取得された番組終了時刻に到達したか否かの判定が行われる（Ｓ２１３）。番組終了時刻に到達していないと判定された場合（Ｓ２１３でＮＯ）には、処理が待機状態とされる。番組終了時刻に到達したと判定された場合（Ｓ２１３でＹＥＳ）には、電源遮断部１１６によって、電源が遮断されて（Ｓ２１５）、処理が終了される。
【００６３】
ステップＳ２０１でＮＯの場合には、放送終了時刻取得部１１７によって、受信可能なチャンネル毎に、放送終了時刻情報が取得される（Ｓ２１７）。そして、第２時刻設定部１１８によって、ステップＳ２１７において取得されたチャンネル毎の放送終了時刻の平均時刻が算出される（Ｓ２１９）。次いで、第２時刻設定部１１８によって、第２遮断予定時刻がステップＳ２１９において算出された平均時刻に設定される（Ｓ２２１）。次に、電源遮断部１１６によって、ステップＳ２２１において設定された第２遮断予定時刻に到達したか否かの判定が行われる（Ｓ２２３）。第２遮断予定時刻に到達していないと判定された場合（Ｓ２２３でＮＯ）には、処理が待機状態とされる。第２遮断予定時刻に到達したと判定された場合（Ｓ２２３でＹＥＳ）には、電源遮断部１１６によって、電源が遮断されて（Ｓ２１５）、処理が終了される。
【００６４】
このようにして、時間帯設定部１１１によって設定された対象時間帯において、電源が遮断された時刻が取得されると共に、取得された時刻が、電源が遮断された時刻の内、最も遅い時刻である最終電源遮断時刻情報であるか否かが判定され、最終電源遮断時刻であると判定された場合に、取得された時刻情報が最終電源遮断時刻情報として電源遮断時刻記憶部１２１に格納される。そして、電源遮断時刻記憶部１２１に格納された最終電源遮断時刻情報に基づいて、電源を遮断する時刻である第１遮断予定時刻が設定され、設定された第１遮断予定時刻に基づいて、デジタル放送受信機１の電源が遮断されるため、利便性良好に適正なタイミングで電源を遮断することができる。
【００６５】
すなわち、時間帯設定部１１１によって設定された対象時間帯において電源が遮断された時刻の内、最も遅い時刻である最終電源遮断時刻に基づいて、電源を遮断する時刻である第１遮断予定時刻が設定され、設定された第１遮断予定時刻に基づいて、デジタル放送受信機１の電源が遮断されるため、ユーザがリモコン２等を介して電源を遮断する時刻を設定する必要がないので、利便性良好に電源を遮断することができるのである。
【００６６】
また、時間帯設定部１１１によって設定された対象時間帯（例えば、午前０時〜午前４時）において電源が遮断された時刻の内、最も遅い時刻である最終電源遮断時刻は、過去においてユーザが就寝前に電源を遮断した時刻であると推定されるため、最終電源遮断時刻情報に基づいて電源を遮断する時刻である第１遮断予定時刻が設定されるので、適正なタイミングで電源を遮断することができるのである。
【００６７】
更に、第１遮断予定時刻に到達したか否かが判定され、第１遮断予定時刻に到達したと判定された場合に、選択されているチャンネルが判定される。そして、受信部１５を介してＥＰＧが取得され、ＥＰＧを参照して、選択されていると判定されたチャンネルにおいて受信されている番組の終了時刻である番組終了時刻情報が取得され、取得された番組終了時刻に到達したか否かが判定され、番組終了時刻に到達したと判定された場合に、デジタル放送受信機１の電源が遮断されるため、利便性良好に更に適正なタイミングで電源を遮断することができる。
【００６８】
すなわち、第１遮断予定時刻に到達した時点で選択されているチャンネルにおいて受信されている番組の終了時刻に到達したか否かが判定され、番組終了時刻に到達したと判定された場合に、デジタル放送受信機１の電源が遮断されるため、ユーザが視聴している番組の途中で電源が遮断されることが防止されるので、更に適正なタイミングで電源を遮断することができるのである。
【００６９】
加えて、リモコン２を介してユーザからの操作入力が受け付けられて、受け付けられた操作入力に基づいて対象時間帯が設定されるため、ユーザが電源の遮断を所望する時間帯を対象時間帯として設定することができるので、更に適正なタイミングで電源を遮断することができる。
【００７０】
また、対象期間設定部１１０によって設定された対象期間内の最終電源遮断時刻情報に基づいて、遮断予定時刻が設定されるため、対象期間（ここでは、３０日間）を適正に設定することによって、更に適正なタイミングで電源を遮断することができる。
【００７１】
更に、対象期間設定部１１０によって設定された対象期間内の最終電源遮断時刻の平均時刻が求められ、求められた平均時刻が第１遮断予定時刻として設定されるため、更に適正なタイミングで電源を遮断することができる。
【００７２】
加えて、リモコン２を介してユーザからの操作入力が受け付けられて、受け付けられた操作入力に基づいて対象期間が設定されるため、ユーザが対象期間を設定することができるので、更に適正なタイミングで電源を遮断することができる。
【００７３】
また、受信部１５を介して、受信可能なチャンネル毎に対象時間帯において放送が終了する時刻である放送終了時刻情報が取得され、取得された放送終了時刻に基づいて、電源を遮断する時刻である第２遮断予定時刻が設定される。そして、リモコン２を介してユーザからの操作入力が受け付けられて、受け付けられた操作入力に基づいて、第１遮断予定時刻に基づいて電源を遮断するか、又は、第２遮断予定時刻に基づいて電源を遮断するか、が選択され、選択された遮断予定時刻に基づいて電源が遮断されるため、更に利便性良好に、且つ、更に適正なタイミングで電源を遮断することができる。
【００７４】
すなわち、過去においてユーザが就寝前に電源を遮断した時刻であると推定される最終電源遮断時刻に基づいて設定される第１遮断予定時刻と、受信部１５を介して受信可能なチャンネル毎に対象時間帯において放送が終了する時刻である放送終了時刻に基づいて設定される第２遮断予定時刻と、のどちらに基づいて電源を遮断するかを選択することができるため、更に利便性良好に、且つ、更に適正なタイミングで電源を遮断することができるのである。
【００７５】
なお、本発明は、以下の形態にも適用可能である。
（Ａ）本実施形態では、放送受信装置が、デジタル放送受信機１である場合について説明したが、放送受信装置が、テレビジョン放送を受信し、外部から視認可能にディスプレイ１８３に出力する装置であればよい。例えば、放送受信装置が、アナログ放送を受信する形態でもよいし、アナログ放送及びデジタル放送を受信する形態でもよい。ただし、番組情報が取得可能な形態であることが好ましい。
【００７６】
（Ｂ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【００７７】
（Ｃ）本実施形態では、ＭＰＵ１１が、機能的に、対象期間設定部１１０、時間帯設定部１１１、電源遮断時刻取得部１１２、第１時刻設定部１１３、チャンネル判定部１１４、番組終了時刻取得部１１５、電源遮断部１１６、放送終了時刻取得部１１７、第２時刻設定部１１８、及び、時刻選択部１１９を備える場合について説明したが、対象期間設定部１１０、時間帯設定部１１１、電源遮断時刻取得部１１２、第１時刻設定部１１３、チャンネル判定部１１４、番組終了時刻取得部１１５、電源遮断部１１６、放送終了時刻取得部１１７、第２時刻設定部１１８、及び、時刻選択部１１９の内、少なくとも１の機能部が回路等のハードウェアによって構成されている形態でもよい。
【００７８】
（Ｄ）本実施形態では、対象期間設定部１１０、時間帯設定部１１１、及び、時刻選択部１１９が、リモコン２を介してユーザからの操作入力を受け付ける場合について説明したが、対象期間設定部１１０、時間帯設定部１１１、及び、時刻選択部１１９の少なくとも１の機能部が、操作部１４を介してユーザからの操作入力を受け付ける形態でもよい。
【００７９】
（Ｅ）本実施形態では、時刻選択部１１９によって、第１遮断時刻に基づいて電源を遮断すると設定されている場合に、電源遮断部１１６が、番組終了時刻に到達したと判定された時点でデジタル放送受信機１の電源を遮断する場合について説明したが、電源遮断部１１６が、第１遮断時刻に到達したと判定された時点でデジタル放送受信機１の電源を遮断する形態でもよい。この場合には、処理が簡略化される。
【００８０】
（Ｆ）本実施形態では、時刻選択部１１９が、第１遮断予定時刻及び第２遮断予定時刻のどちらに基づいて電源を遮断するかを選択する場合について説明したが、時刻選択部１１９が、第１遮断予定時刻及び第２遮断予定時刻に加えて、ユーザが予め設定した時刻に基づいて電源を遮断するか否かを選択する形態でもよい。この場合には、更に、利便性を向上することができる。
【００８１】
（Ｇ）本実施形態では、第２時刻設定部１１８が、受信可能なチャンネル毎の放送終了時刻の平均終了時刻を第２遮断予定時刻として設定する場合について説明したが、第２時刻設定部１１８が、第２遮断予定時刻をその他の時刻（例えば、受信可能なチャンネル毎の放送終了時刻の内、最も早い時刻、又は、最も遅い時刻等）に設定する形態でもよい。この場合には、処理が簡略化される。
【図面の簡単な説明】
【００８２】
【図１】は、本発明に係るデジタル放送受信機の構成の一例を示すブロック図である。
【図２】は、本発明に係るデジタル放送受信機における主要部の機能構成の一例を示す構成図である。
【図３】は、デジタル放送受信機（主にＭＰＵ）の電源遮断時刻を格納する動作の一例を示すフローチャートである。
【図４】は、デジタル放送受信機（主にＭＰＵ）の電源を遮断する動作の一例を示すフローチャートである。
【符号の説明】
【００８３】
１    デジタル放送受信機（放送受信装置）
１１    ＭＰＵ
１１０    対象期間設定部（対象期間設定手段の一部）
１１１    時間帯設定部（時間帯設定手段の一部）
１１２    電源遮断時刻取得部（電源遮断時刻取得手段）
１１３    第１時刻設定部（第１時刻設定手段）
１１４    チャンネル判定部（チャンネル判定手段）
１１５    番組終了時刻取得部（番組終了時刻取得手段の一部）
１１６    電源遮断部（電源遮断手段）
１１７    放送終了時刻取得部（放送終了時刻取得手段の一部）
１１８    第２時刻設定部（第２時刻設定手段）
１１９    時刻選択部（時刻選択手段の一部）
１２    ＲＡＭ
１２１    電源遮断時刻記憶部
１４    操作部
１５    受信部（番組終了時刻取得手段の一部、放送終了時刻取得手段の一部）
１８    画像出力部
１８３    ディスプレイ（モニタ）
２    リモコン（対象期間設定手段の一部、時間帯設定手段の一部、時刻選択手段の一部）
【図１】
2008277943.tif 000003
【図２】
2008277943.tif 000004
【図３】
2008277943.tif 000005
【図４】
2008277943.tif 000006